(57)【要約】      （修正有）【課題】通電リード線のタイマモータへのコネクタ接続が不完全又は、コネクタへの通電リード線の固定が不完全でタイマモータが作動しなかった場合に、タイマスイッチがＯＮになってもマグネトロンを作動させる高周波発生用電源トランスやヒータへ通電されることがない安全な加熱調理器を提供する。【解決手段】高周波発生手段５又は電熱ヒータを備えると共に、時間設定出力軸及びタイマモータを有するタイマー７が設けられた加熱調理器において、ドア開閉スイッチ１４から前記タイマー手段へ通電するリード線１９と、前記タイマー手段から前記加熱手段に通電するリード線１８を、前記タイマー手段の同一端子１３ａにそれぞれ接続する。これによって、前記タイマモータに通電されないと、前記高周波発生手段又は前記電熱ヒータへも通電されない。【選択図】図６
2015169369.tif 000002
【特許請求の範囲】
【請求項１】
加熱室内の被調理物を加熱する加熱手段と、
前記加熱室のドアの開閉によりＯＮーＯＦＦするドア開閉スイッチと、
前記加熱手段の加熱時間を設定するタイマー手段と、
前記加熱手段への電源供給プラグと、を備え、
前記タイマー手段と前記ドア開閉手段が通電しないときに、前記加熱手段に電源供給プラグから通電されないような回路構成を設けたことを特徴とする加熱調理器。
【請求項２】
前記電源供給プラグと前記加熱手段を通電する一方のリード線に前記タイマー手段を接続し、他方のリード線にドア開閉スイッチを接続するとともに、前記タイマー手段を経由して前記加熱手段と接続することを特徴とする請求項１に記載の加熱調理器。
【請求項３】
前記ドア開閉スイッチから前記タイマー手段へ通電するリード線と、前記タイマー手段から前記加熱手段に通電するリード線を、前記タイマー手段の同一端子にそれぞれ接続したことを特徴とする請求項１又は請求項２に記載の加熱調理器。
【請求項４】
前記加熱手段は、高周波加熱装置又は熱電ヒータであることを特徴とする請求項１〜請求項３のいずれかに記載の加熱調理器。
【発明の詳細な説明】
【技術分野】
【０００１】
本発明は、例えばマグネトロンやヒータを備える加熱調理器に関する。
【背景技術】
【０００２】
従来より、加熱調理器においては、加熱庫内に収容した食品について、マイクロ波（高周波）による加熱調理手段の他、電気ヒータを加熱源とする輻射熱によるグリル調理手段等、他の加熱手段とともに採用され広く一般家庭に普及している。また、一般に電子レンジやオーブントースターの加熱装置等においては、加熱時間を設定するのにタイマモータが多用されている。
【先行技術文献】
【特許文献】
【０００３】
【特許文献１】実用新案登録第２５２６８５９号公報
【０００４】
実用新案登録文献１に記載の調理器は、マイクロコンピュータを用いてマグネトロンとヒータを作動制御する構造では、製造コストの低減などを容易に行い得ない問題から、時間調節軸及び出力切換軸及びタイマモータを有するタイマを設け、出力切換軸によって設定する出力切換時間毎にタイマモータによって切換駆動する出力スイッチの各端子にマグネトロン及びヒータを接続させ、マグネトロンとヒータの複合調理を任意の加熱力で容易に行い得、製造コストの低減を容易にできるとしたものが提案されている。
【発明の概要】
【発明が解決しようとする課題】
【０００５】
上記実用新案登録文献１に記載の調理器は、第９図に示すように、タイマスイッチを介してタイマモータに電源を接続させると共に、タイマスイッチ及び出力スイッチを介してマグネトロン及びヒータを接続させるもので、出力スイッチの一方の出力端子に高周波発生用電源トランスを介してマグネトロンを接続させると共に、出力スイッチのもう一方の出力端子にヒータを接続させている。
【０００６】
前記の電気回路を実際に調理器で構成するには、通電のリード線（電線）を圧着して取り付けた端子をプラスチック製絶縁ハウジングに差し込んだコネクタ（ポジティブロック・コネクタやファスティン・ファストン・コネクタが一般的に使用される。）を、タイマモータや高周波発生用電源トランスへの給電用タブ端子に差し込んで接続している。
【０００７】
反タイマスイッチ側に電源を供給する配線は、電源に挿すコンセントプラグからの一方の通電リード線が並列にタイマモータ、ヒータ及び高周波発生用電源トランスのそれぞれのタブ端子へコネクタで接続して、他方の通電リード線はタイマスイッチに接続されている。
【０００８】
このような配線をした場合、前記コンセントプラグからの通電リード線を接続したコネクタをタイマモータのタブ端子へ差し込む際に、差し込み力が不充分なために導通していなかった場合、高周波発生用電源トランスには電源に挿すコンセントプラグからの一方の通電リード線が並列でコネクタ接続されているためにタイマスイッチがＯＮになれば高周波発生用電源トランスへ給電されマグネトロンを作動させる。しかし、タイマモータには給電されていないので時限制御が働かず、マグネトロンはＯＦＦになることなく継続して作動される。その結果、被加熱調理品が長時間加熱され、発煙や、最悪は発火に至ってしまう危険がある。
【０００９】
本発明は、このような点に鑑みなされたもので、通電リード線のタイマモータへのコネクタ接続が不完全又は、コネクタへの通電リード線の固定が不完全でタイマモータが作動しなかった場合に、タイマスイッチがＯＮになってもマグネトロンを作動させる高周波発生用電源トランスやヒータへ通電されることがない安全な加熱調理器を提供することを目的とする。
【課題を解決するための手段】
【００１０】
請求項１に記載の発明にあたっては、加熱室内の被調理物を加熱する加熱手段と、加熱室のドアの開閉によりＯＮーＯＦＦするドア開閉スイッチと、加熱手段の加熱時間を設定するタイマー手段と、加熱手段への電源供給プラグと、を備え、タイマー手段と前記ドア開閉手段が通電しないときに、加熱手段に電源供給プラグから通電されないような回路構成を設けたことを特徴とするものである。
【００１１】
請求項２に記載の発明にあたっては、電源供給プラグと加熱手段を通電する一方のリード線にタイマー手段を接続し、他方のリード線にドア開閉スイッチを接続するとともに、タイマー手段を経由して前記加熱手段と接続することを特徴とするものである。
【００１２】
請求項３に記載の発明にあたっては、ドア開閉スイッチからタイマー手段へ通電するリード線と、タイマー手段から加熱手段に通電するリード線を、タイマー手段の同一端子にそれぞれ接続したことを特徴とするものである。
【００１３】
請求項４に記載の発明にあたっては、加熱手段は、高周波加熱装置又は熱電ヒータであることを特徴とするものである。
【発明の効果】
【００１４】
本発明によれば、通電リード線のタイマモータへのコネクタ接続が不完全又は、コネクタへの通電リード線の固定が不完全でタイマモータが作動しなかった場合に、タイマスイッチがＯＮになってもマグネトロンを作動させる高周波発生用電源トランスやヒータへ通電されることがない安全な加熱調理器を提供することができる。
【図面の簡単な説明】
【００１５】
【図１】本実施形態の加熱調理器で天面及び側面のカバーを除いた状態の斜視図
【図２】本実施形態の加熱調理器の回路図
【図３】加熱調理器の従来の配線図
【図４】従来の問題点の一例を説明するための配線図
【図５】従来の問題点の他の例を説明するための配線図
【図６】加熱調理器の本実施形態の配線図
【図７】本実施形態での効果を説明するための配線図
【図８】本実施形態での効果を説明するための配線図
【図９】タイマモータと高周波発生装置を備える加熱調理器の従来例の回路図
【発明を実施するための形態】
【００１６】
以下に本発明の好適な実施の形態について、図面を参照しながら説明する。なお本実施の形態は一例であり、これに限定されるものではない。
【００１７】
図１は、本発明の一実施例における加熱調理器１の全体概略図で、筐体２の内部に、前面が開放された中空の箱状をした加熱室３が設けられ、その前面開口部を開閉するドア４が回動可能に設けられている。また加熱室３に結合されたマグネトロン（高周波発生器）５と、前記マグネトロンを作動させる高周波発生用電源トランス６と、加熱時間を設定するタイマー７と、冷却ファン８とファンモータ９を有している。
【００１８】
図２は一実施例の回路図で、電源に挿すコンセントプラグ１１（電源供給プラグ）側より一方は、タイマー７のタイマスイッチ１２、タイマモータ１３、高周波発生電源トランス６に接続されている。他の一方は、ドア４の開時に入力電流をＯＦＦし、閉時にＯＮとするドア開閉スイッチ１４、タイマモータ１３、高周波発生用電源トランス６に接続されている。
【００１９】
各部の動作を説明する。使用者が加熱調理器１のドア４を閉めると、ドア開閉スイッチ１４の接点がＯＮ状態になる。次に加熱時間を設定するためにタイマー７の時間設定出力軸を回転させるとタイマスイッチ１２の接点がＯＮ状態になり、このタイマスイッチ１２に直列に接続された高周波発生用電源トランスに通電される。同時にタイマモータ１３も前記タイマスイッチ１２及びドア開閉スイッチ１４に直列に接続されているので通電され、タイマモータ１３の動作により当初の設定時間を消費していく。設定時間が終了するとタイマスイッチ１２の接点はＯＦＦとなる。
【００２０】
図２で示した回路図の実際の配線を図３で説明する。図中、白角部がタブ端子で黒各部がコネクタを示しており、リード線（電線）１５，１６，１７，１８，１９の両端をコネクタの端子に固定した配線部材で、前記タブ端子に接続していく。コンセントプラグ１１のタブ端子１１ａにはリード線１５の一方の端を端子に固定したコネクタ１５ａを接続し、他方の端を固定したコネクタ１５ｂをタイマー７のタブ端子７ａに接続する。同様に、タイマー７のタブ端子７ｂと高周波発生用電源トランス６のタブ端子６ａ間をリード線１６のコネクタ１６ａ，１６ｂで接続する。
【００２１】
コンセントプラグ１１の他方のタブ端子１１ｂとドア開閉スイッチ１４のタブ端子１４ａ間はリード線１７を固定したコネクタ１７ａ、１７ｂで接続する。ドア開閉スイッチ１４のタブ端子１４ｂからはタイマモータ１３のタブ端子１３ａへ接続されるリード線１９と、高周波発生用電源トランス６のタブ端子６ｂに接続されるリード線１８の２本で配線している。
【００２２】
次に課題であるタイマモータ１３へ給電するリード線１９のコネクタ１９ａ、１９ｂのタブ端子への接続が不完全又は、コネクタ端子への通電リード線の固定が不完全な場合の動作を説明する。
【００２３】
使用者が加熱調理器１のドア４を閉めると、ドア開閉スイッチ１４の接点がＯＮ状態になる。次に加熱時間を設定するためにタイマー７の出力軸を回転させるとタイマスイッチ１２の接点がＯＮ状態になり、このタイマスイッチ１２に直列に接続された高周波発生用電源トランスに通電される。ところが、図４に示すように、ドア開閉スイッチ１４に直列に接続しているタイマモータ１３のタグ端子１３ａに接続するはずのリード線１９の一方のコネクタ１９ａが外れていると、タイマモータ１３には通電されないため当初の設定時間を消費していく動作が行われない。そのため、マグネトロン５を作動する高周波発生用電源トランス６への給電がＯＦＦになることがなくマグネトロン５が継続して作動される。その結果、被加熱調理品が長時間加熱され、発煙や、発火に至ってしまう虞がある。
【００２４】
ドア開閉スイッチ１４のタブ端子１４ｂにリード線１９のコネクタ１９ｂが確実に接続されていない図５に示す状態でも、上述同様の現象が起こり、タイマモータ１３に通電されることなく、高周波発生用電源トランス６へ給電されるためマグネトロン５が継続して作動されてしまう。
【００２５】
図６に、上記問題点を解決するための配線方法を示す。上記の配線と異なるのはリード線１８のこれまでドア開閉スイッチ１４のタブ端子１４ｂに接続していたコネクタ１８ａと、リード線１９のタイマモータ１３側のタブ端子１３ａに接続するコネクタ１９ａをそれぞれタブ端子１３ａに接続させる。すなわち、タイマモータ１３のタブ端子１３ａに両方のリード線１８，１９の一端が接続されている。
【００２６】
上記配線の変更により、図７に示すようにリード線１９の一方の端部を固定したコネクタ１９ａがモータコイル１３のタブ端子１３ａに接続されていない、もしくは、コネクタ１９ａへのリード線端部の固定が不完全で導通していないような場合、タイマモータ１３に給電されず作動しないのと同時に、高周波発生用電源トランス６へも給電されないので、マグネトロン５が作動されることがない。
【００２７】
同様に図８に示すように、リード線１９の他方のコネクタ１９ｂがドア開閉スイッチ１４のタブ端子１４ｂに接続されていなかった場合も、タイマモータ１３及び高周波発生用電源トランス６に給電されずマグネトロン５が作動しないので安全である。
【００２８】
本実施例では、マイクロ波を用いて被加熱品を調理する電子レンジを例にして説明したが、マグネトロン５を作動させる高周波発生用電源トランス６を電熱ヒータに置き換え、電熱ヒータを作動させて加熱調理するオーブンの場合でも、タイマモータ１３に接続するリード線のコネクタが抜けているために電熱ヒータがＯＦＦにならないという問題を未然に防止することができる。
【符号の説明】
【００２９】
１                      加熱調理器
２                      筐体
３                      加熱室
４                      ドア
５                      マグネトロン
６                      高周波発生用電源トランス
７                      タイマー
８                      冷却ファン
９                      ファンモータ
１１                      コンセントプラグ
１２                      タイマスイッチ
１３                      タイマモータ
１４                      ドア開閉スイッチ
【図１】
2015169369.tif 000003
【図２】
2015169369.tif 000004
【図３】
2015169369.tif 000005
【図４】
2015169369.tif 000006
【図５】
2015169369.tif 000007
【図６】
2015169369.tif 000008
【図７】
2015169369.tif 000009
【図８】
2015169369.tif 000010
【図９】
2015169369.tif 000011